Podtech/llm-jp-corpus-v4-ja_patent huggingface dataset:
(57)【要約】      （修正有）【課題】球体関節人形の眼球において、回路をもち、外部スイッチと連携させて発光し、ＳＦやアンドロイドの様な機械的表現を行うマシンアイを提供する。【解決手段】ＰＣ廃材基板を円形に切り取り１、円の中心部にＬＥＤライト２を取り付けたものを眼球の形になるようＵＶレジンで硬化し、基板とＬＥＤライトを固定し３、回路が成立するようリードスイッチ４、電池ホルダー５をはんだで取り付け、磁石を仕込んだ外部スイッチ６を近づける事で眼球を発光させる事により、球体関節人形に於ける新たな表現を行う。【選択図】図１
0003219527.tif 000002
【実用新案登録請求の範囲】
【請求項１】
磁石を用いた外部スイッチを装着する事により、球体関節人形の新たな表現方法を生み出す眼球、マシンアイ
【考案の詳細な説明】
【技術分野】
【０００１】本考案は、球体関節人形の作成における眼球に関するものである。
【背景技術】
【０００２】  球体関節人形の眼球において、ガラス、アクリル等の素材で作成されている事が主であるが、回路をもち、外部スイッチと連携させて発光する眼球が存在しておらず、ＳＦやアンドロイドの様な機械的表現を行う事が困難であった。
【考案の概要】
【考案が解決しようとする課題】
【０００３】  そこで、魂が宿ると言われる眼球に焦点をあて、磁石を使用した外部スイッチを装着する事で発光する眼球を回路として使用する事により、前述の表現方法を解決しようとするものである。
【課題を解決するための手段】
【０００４】  本考案は球体関節人形の眼球をＰＣ廃材基板、ＵＶレジン、磁石を使用した回路を利用して発光させ、新たな表現方法を獲得し、且つ、実際に使用されていた基板を用いる事で、よりリアルな機械的表現を追求し、外部スイッチの装着、取り外しによって活動、停止等の違いを明確にし、且つ、操作の手間を最小限に抑える事で、課題を解決している。
【考案の効果】
【０００５】  上述の様に、本考案のマシンアイは眼球そのものに回路を取付け、磁石を用いた外部スイッチの着脱により発光、消灯を調整できる為、アンドロイド等を模した球体関節人形における活動、機能停止等の表現をする際に役立つ。
【図面の簡単な説明】
【０００６】
【図１】マシンアイの本体および外部スイッチを示す図である。
【図２】マシンアイを球体関節人形に装着した際の実使用例を示す図である。
【考案を実施するための形態】
【０００７】球体関節人形の頭部へ取り付ける際、リードスイッチが外側へ向くように装着し、外部スイッチとリードスイッチが頭部素材を挟んで平行に並ぶ様設置する事で、回路が成り立つ仕様である。これにより、発光時は外部スイッチを装着、消灯時は取り外す事で、操作の手間を最小限に抑えている。
【実施例】
【０００８】  以下、添付図面に従って一実施例を説明する。土台となる１のＰＣ廃材基板に、２のＬＥＤライトを取り付けたものにＵＶレジンを使用して眼球である３を作成し、回路の＋極へ４のリードスイッチ、５の電池ホルダー、３の−極の順になるようはんだで固定し、ボタン型電池をはめ込んである、電源回路を取付けた眼球を球体関節人形へ装着する。【０００９】  ６は磁石を用いた外部スイッチになっており、これを前述の眼球が装着されている球体関節人形の頭部へ取付ける事により、磁力によってリードスイッチの切り離された回路が繋がり、眼球が発光する仕組みになっている。又、この外部スイッチを取外す事により、回路が切り離されて消灯する。【００１０】  本考案の一実施例は上記の如き構成からなるものであるから、球体関節人形へ取付けた際、電源投入の度に人形頭部を開閉する手間を省けるのは勿論であるが、外部スイッチを含む本考案を使用する事で、人形本体が破損してしまう恐れを最小限に抑える事が可能である。
【符号の説明】
【００１１】  １  ＰＣ廃材基板
２  ＬＥＤライト
３  マシンアイ本体
４  リードスイッチ
５  電池ホルダー
６  磁石を用いた外部スイッチ
【図１】
0003219527.tif 000003
【図２】
0003219527.tif 000004
【手続補正書】
【提出日】平成30年7月23日(2018.7.23)
【手続補正１】
【補正対象書類名】実用新案登録請求の範囲
【補正対象項目名】全文
【補正方法】変更
【補正の内容】
【実用新案登録請求の範囲】
【請求項１】
土台となる１のＰＣ廃材基板に、２のＬＥＤライトを取り付けたものにＵＶレジンを使用して眼球である３を作成し、回路の＋極へ４のリードスイッチ、５の電池ホルダー、３の−極の順になるようはんだで固定し、ボタン型電池をはめ込んである、電源回路を取付けた眼球を球体関節人形へ装着し、磁石を用いた外部スイッチ６を、前述の眼球が装着されている球体関節人形の頭部へ取付ける事により、磁力によってリードスイッチの切り離された回路が繋がり、眼球が発光する仕組みになっており、又、この外部スイッチを取外す事により、回路が切り離されて消灯する眼球、マシンアイ。
(57)【要約】      （修正有）【課題】分け目を作ったり染毛料を塗りやすくする為に形状を工夫し使い勝手の良い染毛ブラシを提供する。【解決手段】染毛ブラシの中央に持ちやすくする為のすきまを設け、毛染めブラシの一端側に、分け目ができるような尖鋭状の先端を設け、毛染めブラシの他端側に、染毛料をふくんだ後、髪に塗る為のブラシ１を設けた。【選択図】図１
0003219529.tif 000002
【実用新案登録請求の範囲】
【請求項１】
人の手を借りずに自分でも毛染めをする際、効率良く作業を進めていける毛染めブラシ
【考案の詳細な説明】
【技術分野】
【０００１】この発明は人の手を借りず自分で毛染めをする際効率良く作業を進められる染毛用品に関するものである。
【背景技術】
【０００２】すでに出回っているものの中にも分け目を作り染毛料を塗り込むという２つの働きを合わせ持っているものはあるが、次の動作に移る際、手を持ち替えなければならず、スムーズな手の動きができるかという点において十分ではないと思う。
【考案の概要】
【考案が解決しようとする課題】
【０００３】形状を工夫する事で、分け目を作ったり染毛料を塗りこむ際にスムーズな手の動きができるようにする
【課題を解決する為の手段】
【０００４】中央にすきまをつくる事で持ちやすくし、さらに分け目を作る、染毛料を塗るという２つの動作がスムーズにできるような形状にした。
【考案の効果】
【０００５】１）中央にすきまをつくった事で手を添えた時、安定感が感じられ使いやすくなる。
２）形状を工夫した事で分け目を作る、塗るの作業がスムーズにできる。
３）染毛料を含んだブラシが毛髪に絡み、染まりやすくなる。
【図面の簡単な説明】
【０００６】
【図１】本発明の側面図である
【図２】本発明の斜視図である
【考案を実施するための形態】
【０００７】紙ヒコーキをとばす時のような要領で、中央のすきまに指を添え先端で分け目を作る。次に染毛料をつけたブラシで髪を染めていく。
【符号の説明】
【０００８】１  ブラシ
２  分け目とり
【図１】
0003219529.tif 000003
【図２】
0003219529.tif 000004
【手続補正書】
【提出日】平成30年8月22日(2018.8.22)
【手続補正１】
【補正対象書類名】実用新案登録請求の範囲
【補正対象項目名】全文
【補正方法】変更
【補正の内容】
【実用新案登録請求の範囲】
【請求項１】
持ちやすくする為のすきま（２）を設けたり、分け目ができるよう先端（３）を尖鋭状にし、染毛料をふくんだ後、髪に塗る為のブラシ（１）を設けた染毛ブラシ
【手続補正書】
【提出日】平成30年10月12日(2018.10.12)
【手続補正１】
【補正対象書類名】実用新案登録請求の範囲
【補正対象項目名】全文
【補正方法】変更
【補正の内容】
【実用新案登録請求の範囲】
【請求項１】
染毛ブラシの中央に持ちやすくする為のすきまを設け、毛染めブラシの一端側に、分け目ができるような尖鋭状の先端を設け、毛染めブラシの他端側に、染毛料をふくんだ後、髪に塗る為のブラシ（１）を設けたことを特徴とする染毛ブラシ。
(57)【要約】      （修正有）【課題】果樹または野菜栽培時に周囲に敷設されるシートを土中支持部の周りから切れる問題点を解決するシート押さえ金具を提供する。【解決手段】果樹または野菜栽培時に周囲に敷設されるシートを地面に押さえつけるためのシート押さえ金具であって、土に刺して、土中に向かって鉛直方向に延びる２本の土中支持部２と、２本の土中支持部２の上部を連結するように設けられた、屈曲した形状のシート押え部１とを有する。【選択図】図１
0003219528.tif 000002
【実用新案登録請求の範囲】
【請求項１】
果樹または野菜栽培時に周囲に敷設されるシートを地面に押さえつけるための金具であって、土中に向かって鉛直方向に延びる２本の土中支持部を土に刺して、屈曲しているシート押さえ部で、シートを押さえる金具である。
【考案の詳細な説明】
【技術分野】
【０００１】本考案は果樹または野菜栽培時に周囲に敷設されるシートの押さえ金具に関するものである。
【背景技術】
【０００２】従来、果樹または野菜栽培時に周囲に敷設されるシートを地面に押さえつける場合、シート押さえ金具を、シートを貫通させて土中に刺しこまれていた。
【先行技術文献】
【特許文献】
【０００３】
【特許文献１】登録実用新案３１７５８７３号公報
【考案の概要】
【考案が解決しようとする課題】
【０００４】従来、果樹または野菜栽培時に周囲に敷設されるシートを地面に押さえつける場合、シート押さえ金具を、シートを貫通させて土中に刺しこまれていた。
この場合、風または強風などでシート押さえ金具の鉛直方向に延びる土中支持部の周りから、シートが切れる問題があり、このような欠点を解決しようとするものである。
【課題を解決するための手段】
【０００５】本考案は、果樹または野菜栽培時に周囲に敷設されるシートを地面に押さえつける場合、シート押さえ金具の鉛直方向に延びる２本の土中支持部を土に刺し、シートに貫通させないで屈曲しているシート押さえ部でシートを押さえるので、シートが土中支持部の周りから切れる問題点を解決するものである。
【考案の効果】
【０００６】上述の様に、本考案の果樹または野菜栽培時に周囲に敷設されるシートの押さえ金具は敷設されるシートが風や強風等で切れたり破れたりして、使えなくなることを極力防ぎシートの使用年数や耐用年数を伸ばすことができます。
そのことによりシート使用者の経費の軽減にもつながります。
【図面の簡単な説明】
【０００７】
【図１】本考案の果樹または野菜栽培時に周囲に敷設されるシートの押さえ金具の全体図
【図２】本考案の果樹または野菜栽培時に周囲に敷設されるシートの押さえ金具の右側面図
【図３】本考案の果樹または野菜栽培時に周囲に敷設されるシートの押さえ金具の実施例
【考案を実施するための形態】
【０００８】シートまたは不織布を作物、畝の上に被覆し、不織布の端から数センチのところに土中支持部２を地面に刺す。シート押さえ部１で不織布をしっかり止める。
【符号の説明】
【０００９】１  シート押さえ部
２  土中支持部
【図１】
0003219528.tif 000003
【図２】
0003219528.tif 000004
【図３】
0003219528.tif 000005
【手続補正書】
【提出日】平成30年8月1日(2018.8.1)
【手続補正１】
【補正対象書類名】実用新案登録請求の範囲
【補正対象項目名】請求項１
【補正方法】変更
【補正の内容】
【請求項１】
果樹または野菜栽培時に周囲に敷設されるシートを地面に押さえつけるための金具であって、土中に向かって鉛直方向に延びる２本の土中支持部を土に刺して、上部の屈曲しているシート押え部で、シートを押える金具。
【手続補正書】
【提出日】平成30年10月18日(2018.10.18)
【手続補正１】
【補正対象書類名】実用新案登録請求の範囲
【補正対象項目名】全文
【補正方法】変更
【補正の内容】
【実用新案登録請求の範囲】
【請求項１】
果樹または野菜栽培時に周囲に敷設されるシートを地面に押さえつけるためのシート押さえ金具であって、土に刺して、土中に向かって鉛直方向に延びる２本の土中支持部と、前記２本の土中支持部の上部を連結するように設けられた、屈曲した形状のシート押え部とを有する、シート押さえ金具。
(57)【要約】【課題】本考案は肩こりを解消するために、従来は腕の力を利用しアームを引っ張るため、腕が疲れ長時間利用できなかったり、十分な力を加えることができなかったものを、自分の体重を利用することで腕の力を使わず、肩こりを解消する器具である。【解決手段】円弧状のアーム部１と、前記アーム部１の一端に設けた握り部２と、前記アーム部１の他端に設けたマッサージ部４とを備え、前記マッサージ部４は前記アーム部の内側に向いた突起部５と、前記突起部５の背面に備えた位置決め部７を有し、前記位置決め部７の平面を壁面に固定し、身体のコリの部分を前記突起部５の先端に押し付けることで、体重を利用し腕の力を使わずツボを刺激する器具である。【選択図】図１
0003219598.tif 000002
【実用新案登録請求の範囲】
【請求項１】
円弧状のアーム部と、前記アーム部の一端に設けた握り部と、前記アーム部の他端に設けたマッサージ部とを備え、前記マッサージ部は前記アーム部の内側に向いた突起部と、前記突起部の背面に備えた位置決め部を有し、前記位置決め部の平面を壁面に固定し、身体のコリの部分を前記突起部先端に押し付け体重をかけて身体のコリを和らげる事を特徴とするアーム型反発式マッサージ器具。
【請求項２】
前記位置決め部の背面に滑り止めを装着したことを特徴とする請求項１記載のアーム型反発式マッサージ器具。
【請求項３】
前記突起部先端を前記アーム部の内側斜め下向き方向に、傾斜させたことを特徴とする請求項１又は請求項２に記載のアーム型反発式マッサージ器具。
【請求項４】
前記握り部は位置決め部の平面に略平行に設けられた垂直部を有し、前記垂直部の位置を確認する事によって、前記位置決め部の平面と壁面との平行状態を調整することができることを特徴とする請求項１から請求項３のいずれか１項に記載のアーム型反発式マッサージ器具。
【考案の詳細な説明】
【技術分野】
【０００１】
本考案は、一般家庭で利用するアーム式ツボマッサージ器具に関するものである。
【背景技術】
【０００２】
従来のアーム式ツボマッサージ器具は、アーム型の棒の先に爪の様な、またはボタンの様な引っ掛かる突起物が付いていて、それをツボに当て腕の力でアームを引っ張ることで、力が加わりツボを刺激するものである（例えば、特許文献１参照）
【先行技術文献】
【特許文献】
【０００３】
【特許文献１】特開平０９-１０８２８５号  公報
【考案の概要】
【考案が解決しようとする課題】
【０００４】
解決しようとする問題点は、従来の器具では腕の力でアームを引っ張るため、徐々に引っ張る腕が疲れてしまい、長時間利用することができないという課題と、引っ張る腕の力だけではコリの部分に強い力を加えることができないという課題があった。本考案は、以上の様な問題点を解消し、少ない力でしっかりとツボを刺激できるものを実現することを目的とするものである。
【課題を解決するための手段】
【０００５】
本考案は上記目的を達成するために、円弧状のアーム部と、前記アーム部の一端に設けた握り部と、前記アーム部の他端に設けたマッサージ部とを備え、前記マッサージ部は前記アーム部の内側に向いた突起部と、前記突起部の背面に備えた位置決め部を有し、前記位置決め部の平面を壁面に固定し、身体のコリの部分を前記突起部先端に押し付け体重をかけながら身体のコリを和らげる構成としている。
また、位置決め部の背面に滑り止めを装着した構成としている。
さらに、突起部先端を前記アーム部の内側斜め下向き方向に、傾斜させた構成としている。
また、握り部は位置決め部の平面に略平行に設けられた垂直部を有し、垂直部と位置決め部の平面と壁面とで平行状態を保つ構成としている。
【考案の効果】
【０００６】
腕の力を使わず、背面に突起部を固定しその先端にコリの部分を押し当てることで、（１）全く腕が疲れない、（２）腕が疲れないため長時間使用する事ができ、（３）体重を利用する事で引っ張る以上の強い力でツボを刺激することができるようにした。
【０００７】
マッサージ部が使用中に動かない様、位置決め部の平面側に滑り止めを取り付けることで、身体を押し当てる位置を安定することができるようにした。
【０００８】
直接コリの部分に当たる突起部先端を、斜め下方向の角度に設けることで、背中のコリに加えて、肩の上部のコリにも先端を押し当てることができ、ツボを刺激できるようにした。
【０００９】
握り部に垂直部を設け、背中の方にまわる位置決め部の平面と平行にする事で、見えにくい背面に固定する位置決め部の平面が、背後の壁面と平行になっているかの目安を解りやすくし、固定の操作をしやすくした。
【図面の簡単な説明】
【００１０】
【図１】本考案の実施の形態を示すアーム型反発式ツボマッサージ器具の側面図          である。
【図２】同アーム型反発式ツボマッサージ器具の斜視図である。
【考案を実施するための形態】
【００１１】
以下、本考案の実施の形態を図１及び図２に基づいて説明する。
図１及び図２は、本考案の実施例を示すアーム型反発式ツボマッサージ器具の側面図及び斜視図である。同図において、金属又はプラスチック等で作成し曲げた円弧状のアーム部１の左側端部に、プラスチック又は木材等で作成した握り部２を取り付け、右側端部にはプラスチック又は木材等で作成したマッサージ部４を取り付けている。
マッサージ部４は、突起部５と位置決め部７とからなり、突起部５はアーム部１の内側斜め下向き４５度前後の角度を設けており、突起部５の先端に肩又は背中を押し当てることができる様にした。位置決め部７の背面には固定用に滑り止め８を貼り付けた構成となっている。
次に、使用方法について説明する。
壁等を背にして座り（立っても使用可能）、円弧状のアーム部１左端部の握り部２を持ち、握り部２の垂直部３の面を背後の壁面に平行に合わせるようにしながら、右端部のマッサージ部４を身体のコリの位置に合わせて動かし、マッサージ部４の位置決め部７の平面を、背後の壁面等の平らな場所に滑り止め８を利用して固定するようにする。次に位置決め部７を壁に固定することで、アーム部１の内側に向いた突起部５先端が身体の背中の面に向かって出てくるようになるので、背中のコリの有る部分をその突起部５の先端に当て、体重をかけて行くことで腕の力を使わずツボを刺激するようにする。突起部５先端は内側斜め下向き４５度前後の角度を設けたことで、背中のコリの場合には水平方向に体重をかけ、肩のコリの場合には斜め上方向に体重をかけることで、背中や肩のコリに対して刺激を与えることができる。
【産業上の利用可能性】
【００１２】
本考案は家庭内平たんな壁が有るところでは何処でも利用でき、安価でしっかりと肩こり等のツボを刺激し、コリをほぐし健康生活に貢献できる商品である。
【符号の説明】
【００１３】
１    アーム部
２    握り部
３    垂直部
４    マッサージ部
５    突起部
６    先端
７    位置決め部
８    滑り止め
【図１】
0003219598.tif 000003
【図２】
0003219598.tif 000004
(57)【要約】      （修正有）【課題】台座を使用せずに排便の至適姿勢をとることができる履物の底を提供する。【解決手段】履物の底の形状が、つま先側７が踵側８よりも高い（厚い）。また、履物の底の形状が、内底１の横径・縦径よりも外底２の横径・縦径が長く、外底２の面積が内底１の面積より大きい。【選択図】図１
0003219534.tif 000002
【実用新案登録請求の範囲】
【請求項１】
履物の底の形状が、つま先側が踵側よりも高い（厚い）ことを特徴とする履物の底。
【請求項２】
履物の底の形状が、内底の横径・縦径よりも外底の横径・縦径が長く、外底の面積が内底の面積より大きいことを特徴とする履物の底。
【考案の詳細な説明】
【技術分野】
【０００１】  本考案は、至適排便姿勢をとりやくすするために、排便時に履く履物の底の形状を、つま先側を踵側より厚く（高く）して、内底の横径・縦径よりも外底の横径・縦径が長く、履物の外底面積を内底面積より大きくした履物の底（つま先挙上・外底拡大型履物底）の形状に関するものである。
【背景技術】
【０００２】  便秘で悩む国民は非常に多い。日本消化器病学会関連研究会  慢性便秘の診断・治療研究会（編）「慢性便秘症診療ガイドライン」では、排便をしやすくするための至適姿勢が記載されている。また、至適姿勢をとるために、両足を台座に乗せることが推奨されている。
【先行技術文献】
【非特許文献】
【０００３】
【非特許文献１】日本消化器病学会関連研究会  慢性便秘の診断・治療研究会（編）「慢性便秘症診療ガイドライン」南江堂  ２０１７年
【考案の概要】
【考案が解決しようとする課題】
【０００４】    慢性便秘症診療ガイドラインでは、排便しやすい姿勢をとるために、両足を台座に乗せて両下肢を挙上することが推奨されているが、狭いトイレ内に台座を置くと邪魔である。そこで、台座を使用せずに排便の至適姿勢をとることができるような履物の底の形状を考案した。
【課題を解決するための手段】
【０００５】  排便時の至適姿勢をとるために、両足を挙上するには、履物の底を厚く高く）すればよいのであるが、単に厚く（高く）すると足元が不安定になり、つまずきや転倒などの危険が増す。底を厚く（高く）することによって生じる不安定性を解決するために、内底の横径・縦径よりも外底の横径・縦径が長く、履物の外底面積を内底面積より大きくすることで安定性を確保することを考案した。また、通常の履物では歩きづらくなることから行わない、つま先側を踵側よりも挙上することで、よりよい排便姿勢をとることができるので、底の厚さ（高さ）をつま先側が踵側よりも厚く（高く）することを考案した。
【考案の効果】
【０００６】  狭いトイレ内に台座を置くことなく、本考案の形状の履物を履くことのみで、排便に適した姿勢をとることができる。
【図面の簡単な説明】
【０００７】
【図１】履物の底の縦径方向断面図である。
【図２】履物の底を上面から見た図である。
【図３】履物の底の横径方向断面図である。
【図４】履物の底に鼻緒をつけた模型の写真である。
【考案を実施するための形態】
【０００８】  サンダルやスリッパなどの履物の底を本考案の履物の底の形状にする。
【実施例】
【０００９】  以下、添付図面に従って一実施例を説明する。１は足が接触する履物の底の上面（内底）、２は床（地面）に接着する面を履物の底の下面（外底）とする。３は縦径でつま先側７から踵側８方向の長さで最も長い部分を基準として、これに平行な方向の長さとして、４は縦径と直交する方向の長さで横径として、５は履物の底の厚さ（高さ）で、上面（内底）１から下面（外底）２までの長さと定義する。６は履物の側面で履物の底の厚さ（高さ）が見える部分とする。例として、履物の底のすべての部分で外底２の横径・縦径を内底１の横径・縦径よりも３ｃｍ長くする。また、つま先側７の厚さ（高さ）５を１０ｃｍ、踵側８の厚さ（高さ）を５ｃｍとして、下面（外底）２は全面が地に接触するようにして、上面（内底）１に傾斜ができるようにする。
【符号の説明】
【００１０】１  履物の底の上面（内底）
２  履物の底の下面（外底）
３  縦径
４  横径
５  履物の底の厚さ（高さ）
６  履物の底の側面
７  つま先側
８  踵側
９  履物の底本体
１０  足
１１  第１趾
１２  第５趾
【図１】
0003219534.tif 000003
【図２】
0003219534.tif 000004
【図３】
0003219534.tif 000005
【図４】
0003219534.tif 000006
【手続補正書】
【提出日】平成30年10月17日(2018.10.17)
【手続補正１】
【補正対象書類名】実用新案登録請求の範囲
【補正対象項目名】全文
【補正方法】変更
【補正の内容】
【実用新案登録請求の範囲】
【請求項１】
履物の底の形状が、つま先側が踵側よりも高い（厚い）ことを特徴とする履物の底。
【請求項２】
履物の底の形状が、内底の横径・縦径よりも外底の横径・縦径が長く、外底の面積が内底の面積より大きいことを特徴とする請求項１記載の履物の底。
(57)【要約】      （修正有）【課題】落とし込み釣りにおいて、餌となる小鰯等の小魚がサビキ仕掛けの針に食いつきやすく、また食いついても弱らないようにするためのサビキ仕掛け用釣り針を提供する。【解決手段】小型釣り針１を着脱できるハリス止め２と、大型魚が食いつく為の大型釣り針３を一体化した構造を形成し、餌となる小魚はハリス止めに付けられたハリスの細い小型釣り針に食いつき、その小魚を餌とする大型魚は大型釣り針に掛かる。小型釣り針に食いついた餌用小魚はダメージも少なく長時間生き生きとしているため、大型魚に餌として大きくアピールできる。【選択図】図２
0003219536.tif 000002
【実用新案登録請求の範囲】
【請求項１】
小鰯等の大型魚の餌となる小魚が食いつく為の小型釣り針を着脱できるハリス止めと、大型魚が食いつく為の大型釣り針を一体化したことを特徴とするサビキ仕掛け用釣り針。
【考案の詳細な説明】
【技術分野】
【０００１】  本考案はハマチ、タイ、ヒラメ等の落とし込み釣りにおいて、餌となる小鰯等の小魚がサビキ仕掛けの釣り針に食いつきやすく、また食いついても弱らないようにするためのサビキ仕掛け用釣り針に関するものである。
【背景技術】
【０００２】  現状の落とし込み用サビキ仕掛けの釣り針は大型魚にも耐えるよう釣り針も大きくハリスも太くしてあり、釣り針には魚の皮等の疑似餌を施して餌となる小魚が食いつくよう工夫がされている。
【考案の開示】
【考案が解決しようとする課題】
【０００３】  釣り針自体が大きいこととハリスも太いため、工夫がされているとはいえ餌となる小魚の活性がよいときでないとなかなか釣り針に食いつかない。
ベイト（イワシ等の小魚の群れ）はあっても餌となる小魚が釣れないということはよくあることである。【０００４】  たとえ食いついても大きな釣り針が小魚にダメージを与え、又太いハリスが小魚の行動を阻害することによりすぐに弱ってしまうため大型魚に対して餌としてのアピールが悪い。【０００５】  本考案では、餌となる小魚が食いつきやすくダメージを少なくすることを可能とするサビキ仕掛け用釣り針を提供することを目的とする。
【課題を解決するための手段】
【０００６】  本考案のサビキ仕掛け用釣り針は、小型釣り針を着脱できるハリス止めと、大型魚が食いつく為の大型釣り針を一体化した構造を形成し、餌となる小魚はハリス止めに付けられたハリスの細い小型釣り針に食いつき、その小魚を餌とする大型魚は大型釣り針に掛かる。
【考案の効果】
【０００７】  本考案のサビキ仕掛け用釣り針によれば、ハリス止めに付けられた小型釣り針に食いついた餌用小魚はダメージも少なく長時間生き生きとしているため、大型魚に餌として大きくアピールできる。【０００８】  ハリス止めには餌となる小魚が食いつきやすい小型釣り針を自由に選択して装着できる。【０００９】  ハリス止めには小型釣り針が切れてもすぐに装着し直せる。
【考案を実施するための最良の形態】
【００１０】  図１はサビキ仕掛け用釣り針を構成する３つの部品、小型釣り針、ハリス止め、大型釣り針、を表示した図面である。図２は符号２のハリス止めと符号３の大型針を符号４のハリスで括り付け、符号２のハリス止めに符号３の小型針を装着したサビキ仕掛け用釣り針の完成形を表示する。図３は図２の完成形釣り針の小型針に餌となる小魚が食いついたところのイメージを示す。図４は本考案の釣り針を付けたサビキ仕掛けの商品化をイメージした図面である。
【実施例】
【００１１】  実施例を図３にて説明する。まず、図３−２のハリス止めに図３−１の小型釣り針のハリスを通し装着する。
この状態でベイト（小鰯等の小魚の群れ）がある所まで本考案の釣り針を付けたサビキ仕掛けを移動すると、図３−５の小魚が図３−２のハリス止めに装着した図３−１の小型釣り針に活性の悪い小さなベイトでも簡単に食いつく。
【産業上の利用可能性】
【００１２】  本考案のサビキ仕掛け用釣り針は、落とし込み釣りをするためのサビキ仕掛け用釣り針として有用であり、製造方法も現状のサビキ用釣り針に疑似餌を付ける方法と大差ないため、初期設備投資も少なく抑えることができる。
餌となる小魚が食いつきやすいため、枝針の数を４本程度に減らすことができ製造コストを下げることができる。
餌用小魚に与えるダメージも少なく長時間生き生きとしており、大型魚に餌として大きくアピールできるため釣果のアップが期待できるサビキ仕掛け用釣り針として好適である。
【図面の簡単な説明】
【００１３】
【図１】サビキ仕掛け用釣り針を構成する部品の一覧図である。
【図２】図１の部品を組み合わせ一体化した本考案の実施の形態におけるサビキ仕掛け用釣り針の全体図である。
【図３】本考案のサビキ仕掛け用釣り針に餌用の小魚が食いついたイメージ面図である。
【図４】本考案のサビキ仕掛け用釣り針の商品化イメージ図である。
【符号の説明】
【００１４】１    餌用小魚が食いつく為の小型釣り針
２    小型釣り針を装着するためのハリス止め
３    大型魚を掛けるための大型釣り針
４    ハリス
５    餌用小魚
【図１】
0003219536.tif 000003
【図２】
0003219536.tif 000004
【図３】
0003219536.tif 000005
【図４】
0003219536.tif 000006
【手続補正書】
【提出日】平成30年10月9日(2018.10.9)
【手続補正１】
【補正対象書類名】実用新案登録請求の範囲
【補正対象項目名】全文
【補正方法】変更
【補正の内容】
【実用新案登録請求の範囲】
【請求項１】
ハリス止め２のハリス止めの先端２ｂはハリス止めの軸２ａより約１５度程度上向きになっており、前記ハリス止め２を上向きの状態で、ハリス止めの軸２ａ部分を大型釣り針の軸３ａの部分に、向きをハリス止めの先端２ｂが大型釣り針のフトコロ３ｄに向くように、位置を大型釣り針の針先３ｃと反対側なるように重ね合わせ、ハリス４で前記ハリス止めの軸２ａ部分と前記大型釣り針の軸３ａ部分を巻き付けることによりハリス止め２と大型釣り針３を一体化したことを特徴とするサビキ仕掛け用釣り針。
【手続補正３】
【補正対象書類名】明細書
【補正対象項目名】００１４
【補正方法】変更
【補正の内容】
【００１４】
0003219536.tif 000007
２    小型釣り針を装着するためのハリス止め
２ａ  ハリス止めの軸
２ｂ  ハリス止めの先端
３    大型魚を掛けるための大型釣り針
３ａ  大型釣り針の軸
３ｂ  大方釣り針のチモト
３ｃ  大型釣り針の針先
３ｄ  大型釣り針のフトコロ
４    ハリス
0003219536.tif 000008
【手続補正４】
【補正対象書類名】図面
【補正対象項目名】図１
【補正方法】変更
【補正の内容】
【図１】
0003219536.tif 000009
(57)【要約】      （修正有）【課題】シンクに配置される棚であって、調味料や、計量器材が、すぐ取れる棚を提供する。【解決手段】棚は、シンク５０の奥側上方に配置される棚は、板形状に形成され、先端がシンク５０の裏面から、シンク５０の央央側に突出する板１０と板１０の物が配置される、上面の、反対側である、裏面において、先端側に配置され、下方に突出し、まな板１００の側えんを立て掛けることが可能な、突起２０が設けられる。【選択図】図１
0003219533.tif 000002
【実用新案登録請求の範囲】
【請求項１】
シンクの奥側上方に配置される棚であって、板状に形成され、先端がシンクの奥側からシンクの中央に突出し、物が配置される。
上面の反対側である裏面において、先端側に配置され、下方に突出し、まな板の側えんを立て掛けることが可能な突起が、設けられている棚。
【考案の詳細な説明】
【技術分野】
【０００１】調理に必要な材料や、一時的な鍋置き場所に出来る、棚に関する。
【背景技術】
【０００２】今までは、流し台が狭いため、あれ、これと置くと、まな板の置き場所もないくらいだった。
【考案の概要】
【考案が解決しようとする課題】
【０００３】調味料や計量器材が、すぐ取れるのが好ましい。
【課題を解決するための手段】
【０００４】シンクの奥側上方に、配置される棚であって、板形状に形成され先端が、シンクの、奥側から、シンクの中央側に突出し、物が配置される上面の、反対側である、裏面において、先端側に配置され、下方に突出し、まな板の測えんを、立て掛けることが可能な、突起が設けられる棚。
【考案の効果】
【０００５】シンクの奥側上方に、棚を配置することで、この棚に調味料や、鍋や、調理器材を置くことで、これらがすぐ取れるので、手際良く調理できる。
【図面の簡単な説明】
【０００６】
【図１】本考案の実施形態の棚が取り付けられた状態を示めす写真である。
【図２】本考案の実施形態の棚を示めす写真である。
【図３】本考案の実施形態の棚の使用状態を示めす写真である。
【考案を実施するための形態】
【０００７】棚１は、シンク５０の奥側上方に配置される棚１は、板形状に形成され、先端がシンク５０の裏面から、シンク５０の中央側に突出する板１０と板１０の物が配置される上面の、反対側である、裏面において、先端側に配置され、下方に突出し、まな板１００の側えんを立て掛けることが可能な、突起２０が設けられる。
【０００８】棚１は長方形の、板１０の手前側に、かまぼこの板風の小さい板である突起２０を取りつける。突起２０は、まな板１００を、斜めに立て掛ける
0003219533.tif 000003
棚１は、シンク５０の奥側に配置され、窓枠の桟や窓枠がない場合は、窓枠に準ずる物に釘で取りつけられる。
【０００９】棚１は、調味料や、調理器材を置くことが出来る、
まな板１００は、突起２０に立て掛けることにより、水切りが出来る上に、
0003219533.tif 000004
【符号の説明】
【００１０】    １  棚
１０  板
２０  突起
５０  シンク
１００  まな板
【図１】
0003219533.tif 000005
【図２】
0003219533.tif 000006
【図３】
0003219533.tif 000007
【手続補正書】
【提出日】平成30年10月11日(2018.10.11)
【手続補正１】
【補正対象書類名】実用新案登録請求の範囲
【補正対象項目名】全文
【補正方法】変更
【補正の内容】
【実用新案登録請求の範囲】
【請求項１】
シンクの奥側上方に配置される棚であって、板状に形成され、先端がシンクの奥側からシンクの中央に突出し、物が配置される板と、前記板の上面の反対側である裏面において、先端側に配置され、下方に突出し、まな板の側縁を立て掛けることが可能な略四角形の突起と、が設けられていることを特徴とする棚。
(57)【要約】      （修正有）【課題】タクシー、バス、トラック、自家用車のフロントにメッセージ・広告を掲げる事で、メッセージをより一層効果的に伝えることができるメッセージネットを提供する。【解決手段】車のフロントグリル、あるいは正面に文字や写真の描かれたネットを装着するメッセージネットであって、ネットの上辺と下辺に複数のフックを備え、ネットには文字や写真等を印刷してメッセージや広告を表示する。フロントグリルに装着するためにエンジンに取り込む空気を遮断することがなく、かつナンバープレート、ヘッドライト、ウィンカーを隠すこともない。【選択図】図１
0003219540.tif 000002
【実用新案登録請求の範囲】
【請求項１】
車のフロントグリル，あるいは正面に文字や写真の描かれたネットを装着する。ネットの上辺と下辺にフックを付け脱落しないように装着する。そのネットには文字や写真等を印刷してメッセージや広告することを目的とするメッセージネット。
【考案の詳細な説明】
【技術分野】
【０００１】    本考案は、細かな編み目のあるネットに文字や印刷等のメッセージを記し車の正面に装着してメッセージを伝え宣伝することを目的としたものである。
【背景技術】
【０００２】    車の荷台やバイクの荷台に荷物を載せ固定するための荷物用のネットはあった。
車のフロントにメッセージや広告を表示することはなかった。
【先行技術文献】
【特許文献】
【特許文献】該当なし
【考案の概要】
【考案が解決しようとする課題】
【０００５】      タクシー、バス、トラック、自家用車のフロントにメッセージ・広告を掲げる事でより一層インパクトを与えるものとする。（タクシー、バス側面のメッセージは今までに有ったが、よりメッセージ性を高めるための考案である。）
【課題を解決するための手段】
【０００６】    本考案は、車の正面にネットを装着して文字や広告、写真を識別できるようにすること。フロントグリルに装着するためにエンジンに取り込む空気を遮断することなく、かつナンバープレート、ヘッドライト、ウィンカーを隠すことないようにという相反する問題を解決している。（２０１８．８．１６国交省技術政策課エズレ氏に確認。問題なしとの回答を得ている。）
【考案の効果】
【０００７】    車（タクシー・バス）の側面等にメッセージや広告を載せる事はあるがフロントにメッセージや広告を載せる事により今まで以上にインパクトを与えるものとなる。
例えば２０２０年東京オリンピックの際に海外から来る選手や観光客に対して「Ｗｅｌｃｏｍｅ  ｔｏ  Ｔｏｋｙｏ」「Ｗｅｌｃｏｍｅ  ｔｏ  ｊａｐａｎ」あるいは日本の国旗、オリンピックのロゴマークなどのメッセージや広告によって歓迎されている、もてなされていると感じてもらえる。
【図面の簡単な説明】
【０００８】
【図１】フロントグリルメッセージネット
【図２】メッセージの例
【図３】車両イメージ（トヨタ製ジャパンタクシー）
【考案を実施するための形態】
【０００９】    トラックの荷台やバクの荷台に荷物を載せ固定するための荷物用のネットの様なものの網目を１０ｍｍ×１０ｍｍにする。そこにメッセージ等を印刷する。
その上端と下端に１０ｍｍおきにフックを付けそのネット上端はボンネットを開けたエンジンルームの内側にかける。
下端はナンバープレートを隠すことのないようにフロントグリル下端にフックで固定する。
【実施例】
【００１０】      以下添付図面に従って実施例を説明する。［図３］車の正面にネットを装着して文字や広告、写真を識別できるようにすること。フロントグリルに装着するためにエンジンに取り込む空気を遮断することなく、かつナンバープレート、ヘッドライト、ウィンカーを隠すことないようにという相反する問題を解決している。
［図２］トラックの荷台やバイクの荷台に荷物を載せ固定するための荷物用のネットの様なものの網目を１０ｍｍ×１０ｍｍとしてそこにメッセージ等を印刷する。
その上端と下端に１０ｍｍおきにフックを付けそのネット上端はボンネットを開けたエンジンルームの内側にかける。
下端はナンバープレートを隠すことのないようにフロントグリル下端にフックで固定する。
［図１］装着ネットの寸法等は普通乗用車用の場合の寸法を示している。車の大きさによって寸法を大小させる事により様々な車に対応することが出来る。
【図１】
0003219540.tif 000003
【図２】
0003219540.tif 000004
【図３】
0003219540.tif 000005
【手続補正書】
【提出日】平成30年10月15日(2018.10.15)
【手続補正１】
【補正対象書類名】実用新案登録請求の範囲
【補正対象項目名】請求項１
【補正方法】変更
【補正の内容】
【請求項１】
車のフロントグリル，あるいは正面に文字や写真の描かれたネットを装着するメッセージネットであって、ネットの上辺と下辺に複数のフックを備え、そのネットには文字や写真等を印刷してメッセージや広告することを目的とするメッセージネット。
(57)【要約】      （修正有）【課題】シャワーヘッドであって、片手のみの障害者が健常者と同様の洗淨感と実役を果す手指付きの洗浄ヘッドを提供する。【解決手段】シャワーヘッドの放水穴３部分の周囲２に１ケ又は複数ケの直立又は曲折、伸縮可能な人工指４ａ、５ａ、６ａを取外し又は係着が出来るようにした。【選択図】図１
0003219532.tif 000002
【実用新案登録請求の範囲】
【請求項１】
直線パイプの先端のシャワーヘッドの一端に着脱可能の指を係着させてシャワーと同時に、片手の障害者でも両手の如く洗淨の目的が出来ることを特徴とする
指付きの洗淨シャワーヘッド、又指の屈折と延長も可能としている
【請求項２】
保持する箇所は（パイプ）は直線であること
【考案の詳細な説明】
【技術分野】
【０００１】本考案はシャワーヘッドに人工の手指代りを設けた、洗淨を目的の用具である
【背景技術】
【０００２】從来人間は、健常者ならば、両手指で物を把握しながら目的を達しているが不幸にも片手しか使えない障害者が多い。
【先行技術文献】
【０００３】
【特許文献】
【特許文献】ナシ
【０００４】
【実用新案献】
ナシ
【考案の概要】
【考案が解決しようとする課題】
【０００５】本考案はシャワーヘッドからの水圧のみでは両手指の使えない人達は体の洗浄にやゝ物足りなさを感じ。又理容。美容業のシャンプー時はもう一本手指があったら好都合と感じる人が多くいる。
この様な時に効果を得られるようにとするものである。
【課題を解決するための手段】
【０００６】本考案はシャワーヘッドの一端に人工手指を係着（着脱可能）させた。
【考案の効果】
【０００７】前述の様に本考案は從来のシャワーヘッドに人工手指が係着されているので、片手のみ障害者のみならず。健常者である老人施設に於て老人の糞尿時の作業、理、美容業界のシャンプー作業中、更に新生児幼児達の風呂場での頭、体の洗浄時にも利用出来る。
【図面の簡単な説明】
【０００８】
【図１】本考案の人工手指付シャワーヘッドの一実施例を示す分解図である。三例を写真図で示している。
【図２】は其の他３様のヘッド係着方を示している  Ａは全体図、Ｂは〔図〕１の２の箇所に１ａの差込む凹を設け２ａの指の元を矢印の方向え差込で係着する  Ｃは〔図〕１の２の外周をマジックテープ３を利用して係着（取り外し）できるようにしている。
【考案を実施するための形態】
【０００９】シャワーヘッドの一端に人工手指を係着出来る様に、差込む、被せる  延せるの形態を備えている
【実施例】
【００１０】以下添付図面に從って説明する  １は保持棒（パイプ）である  ２はヘッドの空白箇所３は放水穴部分．４は４ａの手指を差込む穴  ５は同じく２の部分に５ａを被せる元形．６は２の空白部に棒を設けて６ａの手指の中心の穴を差込み、更に指を屈折、延長出来る７を設けている以上三様式をヘッド一個で示した
【符号の説明】
【００１１】１  保持ホース
２  ヘッド本体の週囲部分
３  放水穴
４  人工手指差込穴と本体
５  人工手指を被せる突起形態棒と手指
６  人工手指中心の穴に突起棒を差込む
７  人工手指の延長屈折ヶ所
〔図〕２
Ａ  全体図
Ｂ  差込み方式の一例
Ｃ  マジックテープによる係着（取外し）案
【図１】
0003219532.tif 000003
【図２】
0003219532.tif 000004
【手続補正書】
【提出日】平成30年10月10日(2018.10.10)
【手続補正１】
【補正対象書類名】実用新案登録請求の範囲
【補正対象項目名】全文
【補正方法】変更
【補正の内容】
【実用新案登録請求の範囲】
【請求項１】
シャワーヘッドの放水穴部分の周囲に１ケ又は複数ケの直立又は曲折、伸縮可能な人工指を取外し又は係着が出来るようにした手指付きの洗浄ヘッド。
(57)【要約】      （修正有）【課題】狭い箇所の作業に適すように幅の小さいパテ板を設けたパテベラを提供する。【解決手段】略長方形の握持部１とパテ板２，３で構成されたパテベラに於いて、握持部１の両端部に各々の形状が異なるパテ板２，３を固着し、パテ板２，３の一方は平面で見て幅広状で他方は幅狭状に形成したものである。【選択図】図１
0003219765.tif 000002
【実用新案登録請求の範囲】
【請求項１】
略長方形の握持部とパテ板で構成されたパテベラに於いて、握持部の両端部に各々の形状が異なるパテ板を固着したことを特徴とするパテベラ。
【請求項２】
パテ板の一方は平面で見て幅広状で他方は幅狭状である、請求項１に記載のパテベラ。
【考案の詳細な説明】
【技術分野】
【０００１】  本考案は、壁面等の工事の際、欠損部、溝、目地等を埋めるパテを撫でつけるためのパテベラで従来の幅広のパテベラより、狭い箇所の作業に適すように幅の小さいパテ板を握持部の両先端に設けたパテベラに関するものである。
【背景の技術】
【０００２】  内装の細かい施工では幅広のパテベラでは使い勝手が悪く、そのため数本の幅の小さいパテベラを用意する作業者が大半である。
【先行技術文献】
【０００３】
【特許文献】
【特許文献】実用新案登録第３１５１８２５号公報
【考案の概要】
【考案を解決しようとする課題】
【０００４】  しかしながら、上記の従来技術によると、内装の細かい施工では幅広のパテベラでは使い勝手が悪く、そのため数本の幅の小さいパテベラを用意する作業者も居るが、幅の異なる小さいパテベラを数本も作業現場に持ち込む事は手間であり、更には紛失の恐れもあった。
【０００５】  従って、狭い箇所の作業に適すように幅の異なる小さいパテ板を握持部の両先端に設けたパテベラを提供して欠点を解決しようとするものである。
【課題を解決するための手段】
【０００６】  本考案は、略長方形の握持部とパテ板で構成されたパテベラに於いて、握持部の両端部に各々の形状が異なるパテ板を固着し、パテ板の一方は平面で見て幅広状で他方は幅狭状とすることにより問題を解決している。
【考案の効果】
【０００７】  上述の様に、内装の狭い箇所の作業に適すように数本の幅の小さいパテベラを用意する作業者も居る
【０００８】  しかも内装の狭い施工では、幅の異なる小さいパテベラを数本も作業現場に持ち込む事は手間であり、更には紛失の恐れもあったが、本考案のパテベラは、握持部の両端部に各々の形状が異なるパテ板を固着し、パテ板の一方は平面で見て幅広状で他方は幅狭状とすることにより、一本のパテベラで狭い施工現場にも対処でき、かさばらず、そして紛失の恐れも少ない。
【０００９】  さらに、従来の数本の幅の小さいパテベラは、作業中に適したパテベラを選別する手間がかかるが、本考案のパテベラは即時に選別できるので作業効率が良い。
【図面の簡単な説明】
【００１０】
【図１】  本考案の正面図である。
【図２】  本考案の一部欠損断面図である。
【考案を実施するための形態】
【００１１】  本考案は、略長方形の握持部の両端部の長手方向に切り込み部を設けて、平面で見て幅広状のパテ板と幅狭状のパテ板を各々の切り込み部に差し込み、リベット等で固着したものである。
【実施例】
【００１２】  図１及び図２は本考案の正面図と一部欠損断面図である。
１は略長方形の握持部であって、木製、合成樹脂等で形成されている。２及び３は、パテ板で薄板の金属板で、平面で見て幅狭状と幅広状である。４は握持部１の両端部の長手方向に設けたパテ板２及び３を差し込むための切り込み部である。５はリベットであって、切り込み部４に差し込まれたパテ板２，３を固着するものである。【００１３】  本考案は、以上の構成であるから、一本のパテベラで狭い施工現場にも対処できる様に、握持部１の両端部に各々の形状が異なるパテ板２，３を固着している。
【産業上の利用可能性】
【００１４】  本考案は、パテベラを製造する産業で利用される。
【符号の説明】
【００１５】  １  握持部
２、３  パテ板
４  切込み部
５  リベット
【図１】
0003219765.tif 000003
【図２】
0003219765.tif 000004
(57)【要約】      （修正有）【課題】頭部を安定させ、楽な姿勢維持による身体への負担軽減により、良質な睡眠を得られる枕を提供する。【解決手段】裁断された二枚の布生地を縫い合わせ袋状にしたのち４本の曲線ステッチ４〜７をし、区分された２室に綿、ウレタン樹脂、短く切ったパイプ等の中材を充填する。枕の中央から離れた四隅部分に中材が入ることにより枕における高い部分、低い部分の差が解消でき、丸い頭部を四隅から安定的に支えることができる。【選択図】図２
0003219764.tif 000002
【実用新案登録請求の範囲】
【請求項１】
二枚の裁断された布生地を縫い合わせ袋状にしたのち内部に曲線の縫製二か所の独立した部位を形成してから中材を充填し、
さらに裁断された布生地と縫い合わせ中材を充填した枕。
【考案の詳細な説明】
【技術分野】
【０００１】本考案は就寝時に頭部を安定させ、楽な姿勢維持による身体への負担軽減により、
良質な睡眠を得られることを目的とした枕である。
【背景技術】
【０００２】就寝時用の枕は単一素材の綿、ウレタン樹脂、短く切ったパイプ等中材を主体にしたもの、又は中材を組み合わされた枕が開示されている。
【考案の概要】
【考案が解決しようとする課題】
【０００３】一般的に製造販売されている長方形の枕は中央部分が高く中央部分から離れるほど低くなり、特に四隅の角部分は低く寝返り、寝る位置を変えるなどした場合全く機能を果していないことが多々ある。
【課題を解決するための手段】
【０００４】請求項１に記載の考案は裁断された二枚の布生地を縫い合わせ袋状にしたのち４本の曲線ステッチをし、区分された２室に綿、ウレタン樹脂、短く切ったパイプ等中材を充填する。
さらに裁断された一枚の布を縫い合わせて綿、ウレタン樹脂、短く切ったパイプ等中材を充填し中材が出ないように縫製を施した枕である。
【考案の効果】
【０００５】枕の中央から離れた四隅部分に中材が入ることにより枕における高い部分、低い部分の差が解消できるとともに丸い頭部を四隅から安定的に支える構造になった。
【図面の簡単な説明】
【０００６】
【図１】二枚の裁断された布の周りに縫製を施し袋状にした図。
【図２】四か所のステッチを施し区分された２室を作成した図。
【図３】区分された２室に中材を充填した図。
【図４】さらに裁断された一枚の布を縫い付けた図。
【図５】中材を充填した後、中材が出ないように縫製を施した図。
【図６】完成した枕を違う方向から見た図。
【符号の説明】
【０００７】［図１］
１、２、３  布の周りの縫製
［図２］
４、５，６，７  曲線のステッチ
［図４］
８  裁断された一枚の布
９  中材を充填する区分された位置
【図１】
0003219764.tif 000003
【図２】
0003219764.tif 000004
【図３】
0003219764.tif 000005
【図４】
0003219764.tif 000006
【図５】
0003219764.tif 000007
【図６】
0003219764.tif 000008